(57)【要約】【課題】棧形の防犯面格子において、縦棧と横棧の結合部分が破壊されると、これを機械的に検出して警報を発し、外部から侵入する犯罪を未然に防止することができる安全性の高い防犯面格子を提供する。【解決手段】中空となる複数の縦棧３と横棧２を用い、その交差させた部分を締結部材４で結合して組み立てた面格子１において、前記横棧２の内部に、ピンジャック６の引き抜きによって発音が発生する発音装置７と、前記ピンジャック６と接続した可撓条８を組み込み、この可撓条８を前記縦棧３と横棧２の交差部分において縦棧３と、この縦棧３が締結部材４の破壊によって横棧２から取外されたときに可撓条８が引っ張られるように接続し、この可撓条８が引っ張られると発音装置７からピンジャック６が抜けて発音装置７が発音する。【選択図】図５
0003123765.tif 000002
【実用新案登録請求の範囲】
【請求項１】
複数の縦棧と横棧を交差させ、その交差させた部分を締結部材で結合して組み立てた面格子において、前記縦棧と横棧の何れか一方の中空となる内部に、ピンジャックの引き抜きによって発音が発生する発音装置と、前記ピンジャックと接続した可撓条を組み込み、この可撓条を前記縦棧と横棧の交差部分において縦棧と横棧の何れか他方と、前記縦棧と横棧の何れか一方に対して他方が締結部材の破壊によって取外されたときに可撓条が引っ張られるように接続し、この可撓条が引っ張られるとピンジャックが抜けて発音装置が発音するようにしたことを特徴とする防犯面格子。
【請求項２】
上記縦棧と横棧の可撓条を組み込む一方が建物側に対して固定する横棧であり、前記横棧の内部に発音装置と可撓条が長さ方向に沿って配置され、前記可撓条の自由端部と発音装置を縦棧と横棧の何れか一方に固定し、前記各縦棧の横棧と交差する部分に、横棧に設けた孔から横棧内に位置するように可撓条の挿通部材を固定し、この各挿通部材に可撓条を挿通したことを特徴とする請求項１に記載の防犯面格子。
【請求項３】
周枠と、この周枠の内側に両端を締結部材で周枠に結合した多数本の棧材で組み立てた面格子において、前記周枠の中空となる内部に、ピンジャックの引き抜きによって発音が発生する発音装置と、前記ピンジャックと接続した可撓条を組み込み、この可撓条を前記周枠と棧材の交差部分において棧材と、前記周枠に対して棧材が締結部材の破壊によって取外されたときに可撓条が引っ張られるように接続し、この可撓条が引っ張られるとピンジャックが抜けて発音装置が発音するようにしたことを特徴とする防犯面格子。
【請求項４】
上記周枠の内部に発音装置と可撓条が長さ方向に沿って配置され、前記可撓条の自由端部と発音装置を周枠と棧材の何れか一方に固定し、前記各棧材の周枠と交差する部分に、周枠に設けた孔から周枠内に位置するように可撓条の挿通部材を固定し、この各挿通部材に可撓条を挿通したことを特徴とする請求項３に記載の防犯面格子。
【考案の詳細な説明】
【技術分野】
【０００１】
この考案は、建物における窓等の開口部分の室外側に取り付け、外部からの侵入を防ぐために用いる面格子、更に詳しくは、面格子の一部を破壊して侵入しようとした場合に、これを検知して警報音を発することにより外部からの侵入を確実に防止することができるようにした防犯面格子に関する。
【背景技術】
【０００２】
建物における窓等の開口部分には、外部からの侵入を防ぐために、室外側に面格子を取り付けることが行われており、このような面格子は、外部からの侵入を困難にすることで防犯のために大きく貢献している。
【０００３】
上記面格子としては、複数本の縦棧と横棧の組み合わせからなる棧形の面格子と、周枠内に棧材を縦、横、斜め等に配置した枠形の面格子が多く採用されており、一般的にこのような面格子は、アルミ型材を材料に用いて組み立てられている。
【０００４】
従来、上記のような面格子の防犯機能を向上させる方法として、面格子の上部で適当な位置に人体感知センサを取り付け、面格子に対して人が接近すると、これを感知して開錠を阻止するようにしたものが提案されている（例えば、特許文献１参照）。
【特許文献１】特開２００２−１８０７２７号公報
【考案の開示】
【考案が解決しようとする課題】
【０００５】
上記のような、人体感知センサによる人の接近を感知する方法は、感知の範囲に制限があり、感知範囲外の部分で面格子の取り外しや破壊が行われる危険性があり、また、外部から人体感知センサが作動しないように処理することも技術的に可能となるので、安全性の面で十分なものとはいえない。
【０００６】
ところで、縦棧と横棧の組み合わせからなる棧形の面格子や、周枠内に棧材を縦、横、斜め等に配置した枠形の面格子において、この面格子を破壊して室内に侵入しようとする場合、棧形や枠形の面格子の構造上、室外側に位置する棧材を建物躯体側に固定された棧材や周枠から取外す方法が最も簡単であり、実際にこのような方法での室内への侵入犯罪が増加している。
【０００７】
具体的には、縦棧と横棧のビスやカシメ鋲による交差結合部分や、周枠に対する棧材の結合部分に、ドライバー等の工具を差し込んでこの結合部分を破壊し、室外側の棧材を取外すことで人が通れる条件をつくり、この後、ガラスを割って窓等を開放することにより、室内に侵入するものであり、このような荒手の犯罪により、面格子を取り付けていても安心することができない事態になっている。
【０００８】
そこで、この考案の課題は、縦棧と横棧の組み合わせからなる棧形の面格子や、周枠内に棧材を縦、横、斜め等に配置した枠形の面格子において、縦棧と横棧や周枠と棧材の結合部分が破壊されると、これを機械的に検出して発音装置で警報を発し、家人や近隣の人に知らせることにより、外部から侵入する犯罪を未然に防止することができる安全性の高い防犯面格子を提供することにある。
【課題を解決するための手段】
【０００９】
上記のような課題を解決するため、この考案は、複数の縦棧と横棧を交差させ、その交差させた部分を締結部材で結合して組み立てた面格子において、前記縦棧と横棧の何れか一方の中空となる内部に、ピンジャックの引き抜きによって発音が発生する発音装置と、前記ピンジャックと接続した可撓条を組み込み、この可撓条を前記縦棧と横棧の交差部分において縦棧と横棧の何れか他方と、前記縦棧と横棧の何れか一方に対して他方が締結部材の破壊によって取外されたときに可撓条が引っ張られるように接続し、この可撓条が引っ張られるとピンジャックが抜けて発音装置が発音するようにした構成を採用したものである。
【００１０】
上記縦棧と横棧の可撓条を組み込む一方が建物側に対して固定する横棧であり、前記横棧の内部に発音装置と可撓条が長さ方向に沿って配置され、前記可撓条の自由端部と発音装置を縦棧と横棧の何れか一方に固定し、前記各縦棧の横棧と交差する部分に、横棧に設けた孔から横棧内に位置するように可撓条の挿通部材を固定し、この各挿通部材に可撓条を挿通した構造とすることができる。
【００１１】
また、別の考案は、周枠と、この周枠の内側に両端を締結部材で周枠に結合した多数本の棧材で組み立てた面格子において、前記周枠の中空となる内部に、ピンジャックの引き抜きによって発音が発生する発音装置と、前記ピンジャックと接続した可撓条を組み込み、この可撓条を前記周枠と棧材の交差部分において棧材と、前記周枠に対して棧材が締結部材の破壊によって取外されたときに可撓条が引っ張られるように接続し、この可撓条が引っ張られるとピンジャックが抜けて発音装置が発音するようにした構成を採用したものである。
【００１２】
上記周枠の内部に発音装置と可撓条が長さ方向に沿って配置され、前記可撓条の自由端部と発音装置を周枠と棧材の何れか一方に固定し、前記各棧材の周枠と交差する部分に、周枠に設けた孔から周枠内に位置するように可撓条の挿通部材を固定し、この各挿通部材に可撓条を挿通した構造とすることができる。
【００１３】
ここで、可撓条は、細い金属製のワイヤーや強度のある合成樹脂の糸等を用い、これを縦棧や棧材に固定したリング金具のような挿通部材に通すことにより、縦棧や棧材が取外された時に挿通部材で可撓条が外に引っ張られ、この引張りによってピンジャックが発音装置から抜け、発音装置は接点が閉じることによってブザーに通電となり、警報を発することで家人や近隣の人に知らせ、面格子を破壊して外部から侵入しようとする犯罪を未然に防止する。
【考案の効果】
【００１４】
この考案によると、面格子における縦棧と横棧の一方又は周枠の内部に、ピンジャックの引き抜きによって発音が発生する発音装置と、前記ピンジャックと接続した可撓条を組み込み、前記縦棧と横棧の何れか一方に対して他方が、又は周枠に対して棧材が締結部材の破壊によって取外されたときに可撓条が引っ張られるようにし、この可撓条が引っ張られるとピンが抜けて発音装置が発音するようにしたので、前記縦棧と横棧又は周枠と棧材が破壊されると発音装置が発音して警報を発することになり、この発音で家人や近隣の人に面格子の破壊行為を知らせることにより、侵入せんとするものが逃げ出すことになり、面格子を破壊して外部から侵入しようとする犯罪を未然に防止することができ、安全性の優れた防犯面格子となる。
【００１５】
また、発音装置や可撓条は面格子における棧材や周枠の内部に収納されているので、面格子の外部からその存在が全く分からず、面格子の意匠や美観を損なわないと同時に、外部から発音装置を作動しないようにしたり、可撓条を切断する等の事前の処理が困難になり、面格子は常時発音機能を維持しているので安全性の確保が確実に行える。
【考案を実施するための最良の形態】
【００１６】
以下、この考案の実施の形態を図示例と共に説明する。
【００１７】
図１乃至図７は、棧形の面格子を用いた防犯面格子の第１の実施の形態を示し、面格子１は、上下に所定の間隔で平行配置した横棧２と、上下横棧２間の前面に一定の間隔で配置した多数本の縦棧３の組み合わせからなり、横棧２と各縦棧３の交点はビスやリベット等の締結部材４によって結合されている。
【００１８】
上記横棧２は、図２乃至図６のように、室内側に向く後面が開放し、室外側に向く面の上下コーナが弧状となるアルミ製筒状体２ａの開放面を同じくアルミ製の蓋板２ｂで閉鎖した断面筒形に形成され、蓋板２ｂは上下縁に設けた溝をアルミ製筒状体２ａの開口縁に嵌め込んで挿入することによって取付けられ、この横棧２の両端はキャップ５によって閉鎖されている。
【００１９】
また、縦棧３は、図４や図５のように、室外側に向く面が弧状となる筒形断面のアルミ型材で形成され、上下両端はキャップ３ａによって閉鎖され、交差する横棧２との交点が外部から隠蔽状となる締結部材４によって結合される。
【００２０】
上記の面格子１において、上下に位置する横棧２の内部に、ピンジャック６の引き抜きによって発音が発生する発音装置７と、一端をこのピンジャック６と接続した可撓条８を組み込み、この可撓条８を前記縦棧３と横棧２の交差部分において縦棧３と、前記横棧２に対して縦棧３が締結部材４の破壊によって取外されたときに可撓条８が引っ張られるように接続し、この可撓条８が引っ張られるとピンジャック６が抜けて発音装置７が発音するようになっている。
【００２１】
上記可撓条８は、細い金属製のワイヤーや強度のある合成樹脂の糸等を用い、横棧２の長さ方向に沿って配置され、また、発音装置７は、図７（ｂ）のように、ピンジャック６の挿入によって接点９ａ、９ｂが開き、図７（ａ）のように、ピンジャック６が抜けると接点９ａ、９ｂが閉じるスイッチ機構９と、電池をホルダー１０内に取換え可能に収納した電源１１と、ブザーを用いた発音器１２と、この発音器１２の励振回路１３と、コンデンサ１４等からなり、これらの構成部材を一つの基板１５に取付けた構造になっている。
【００２２】
上記縦棧３と横棧２の交点は、図５のように、横棧２の内部側からのビスやカシメ鋲による締結部材４によって外部から隠蔽状になるよう結合され、各縦棧３の横棧２に対する交点には、横棧２に設けた孔１６から横棧２内に突出するようにリング金具のような可撓条８の挿通部材１７がビスやカシメ鋲によって固定されている。
【００２３】
上記可撓条８は、横棧２内に突出する各挿通部材１７の透孔に順次通すように弛みのない状態で配置し、ピンジャック６と反対側の自由端部は、横棧２の一方端部側の位置において、図３のように横棧２に直接固定するか、又は一方端部に位置する挿通部材１７に結合し、また、発音装置７は、横棧２の内部で他方端部側の位置に配置し、その基板１５を短い可撓条８で横棧２に直接固定するか、他方端部に位置する挿通部材１７に結合されている。
【００２４】
上記のような可撓条８と発音装置７の配置により、可撓条８は自身の長さ方向に移動可能な状態で各縦棧３と挿通部材１７で連結され、何れかの縦棧３が締結部材４の破壊によって横棧２から取外されると、挿通部材１７を介して可撓条８が孔１６から横棧の外側に引っ張られることになり、この可撓条８に引張り力が加わると、連結したピンジャック６がスイッチ機構９から抜けて接点９ａ、９ｂが閉じ、発音器１２に通電となって発音装置７が発音することになる。
【００２５】
なお、上記した電源１１の電池の取換えや、ピンジャック６のスイッチ機構９に対する抜き差し操作が簡単に行えるよう、図６のように、横棧２における蓋板２ｂの電池のホルダー１０と対応する位置に、蓋板２ｂの一部を所定間隔で切り離し、この切り離し部分を一方蓋板２ｂにヒンジで取付けた蓋部材１８によって、室内側から開閉可能としている。
【００２６】
上記蓋部材１８を閉位置にすれば、蓋板２ｂの開口部分は閉じられ、面格子１を室外側から見ても蓋部材１８の存在はわからない状態となる。
【００２７】
図１乃至図３の場合、面格子１は、上下の横棧２をブラケット１９で窓用サッシ２０の突条２１に取付けることで建物躯体側に固定する例を示したが、これとは別に、両側に配置した縦棧３を窓用サッシや建物躯体に固定するようにし、この縦棧３の前面に多数の横棧２を並べて固定した棧形の面格子であってもよく、この場合、可撓条８と発音装置７は縦棧３内に収納すればよい。
【００２８】
図８乃至図１１は、防犯面格子の第２の実施の形態として、枠形の面格子を用いた例を示し、図８に示す例の面格子１は、上枠材３１と下枠材３２及び両側の側枠材３３で矩形状に組み立てられた枠部材３４の内側に多数本の縦棧３５を一定間隔の配置で固定し、図９に示す例の面格子１は、前記と同様の枠部材３４の内側に多数本の横棧３６を一定間隔の配置で固定し、図１０に示す例の面格子１は、同じく枠部材３４の内側に多数本の傾斜棧３７を一定間隔の配置で交差するように固定し、図１１に示す例の面格子１は、同じく枠部材３４の内側に多数本の縦棧３５と横棧３６を一定間隔の配置で交差するように固定した構造になっている。
【００２９】
これら、枠形の面格子１において、枠部材３４を構成する中空材の上枠材３１と下枠材３２及び両側の側枠材３３の何れか若しくは全ての内部に、可撓条８と発音装置７が配置されている。
【００３０】
上記縦棧３５や横棧３６及び傾斜棧３７の端部は、上述した棧形の面格子の場合と同様、枠部材３４の構成材に対してビスやカシメ鋲による締結部材で結合され、この結合部分における縦棧３５や横棧３６及び傾斜棧３７の端部には、枠部材３４の構成材に設けた孔から枠部材内に突出するようにリング金具のような可撓条８の挿通部材がビスやカシメ鋲によって固定され、可撓条８は、枠部材３４の構成材内に突出する各挿通部材に順次通すように弛みのない状態で配置し、ピンジャックと反対側の自由端部は、枠部材３４の構成材の一方端部側の位置において、枠部材３４の構成材に固定するか一方端部の挿通部材に結合し、また、発音装置７は、枠部材３４の構成材の内部で他方端部側の位置に配置し、その基板１５が枠部材３４の構成材に固定するか他方端部の挿通部材に結合されている。
【００３１】
なお、図示省略したが、何れの実施形態においても、面格子１の適当な位置に、電池が寿命になると、これを知らせるための電源切れの表示ランプを設けるようにすることができる。
【００３２】
この考案の防犯面格子は、上記のような構成であり、次に、図１乃至図７の第１の実施の形態を用いて作用を説明する。
【００３３】
図２と図３のように、面格子１を建物の開口部における室外側に取り付け、開口部からの侵入を阻止して防犯を担うものである。
【００３４】
建物の開口部における室外側に面格子１を取付けた通常の状態で、ピンジャック６がスイッチ機構９に挿入され、図７（ｂ）の回路図に示すように接点９ａ、９ｂは開状態となり、発音器１２に対する通電がオフとなっている。
【００３５】
上記の状態で面格子１の縦棧３と横棧２を結合する締結部材４を工具で破壊して外部から侵入しようとすると、縦棧３が横棧２から取外されることにより、取外された縦棧３に固定した挿通部材で可撓条８が孔１６から横棧２の外側に引っ張られることになり、この可撓条８に引張り力が加わると、図７（ａ）のように可撓条８に連結したピンジャック６がスイッチ機構９から抜けて接点９ａ、９ｂが閉じ、発音器１２に通電となって発音装置７が発音することになり、この発音で侵入せんとするものが逃げ出すか、家人や近隣の人に侵入を知らせることにより、防犯面格子１を破壊して外部から侵入する犯罪を未然に防止することができ、安全性の高い防犯面格子となる。
【００３６】
なお、発音装置７の基板１５を縦棧３に接続した配置において、この縦棧３が取外された場合、固定となる可撓条８に対して発音装置７が移動することにより、ピンジャック６からスイッチ機構９が抜け、上記と同様に発音が生じることになる。
【００３７】
また、発音器１２の発音を止めるには、図６に示した横棧２の蓋部材１８を開いて、ピンジャック６をスイッチ機構９に差し込めばよい。
【図面の簡単な説明】
【００３８】
【図１】この考案に係る防犯面格子の棧形の面格子を用いた第１の実施の形態を示す正面図
【図２】図１の防犯面格子の窓への取り付け状態を示す縦断側面図
【図３】図１の防犯面格子の窓への取り付け状態を示す横断平面図
【図４】（ａ）は図１の防犯面格子の横棧と縦棧の結合部分の構造を示す拡大した縦断側面図、（ｂ）は同部分の斜視図
【図５】横棧の蓋板を外した室内面側から見た面格子の斜視図
【図６】横棧の蓋板に設けた蓋部材の構造を示す斜視図
【図７】（ａ）は発音装置の発音状態時の回路図、（ｂ）は同上の開回路時のピンジャックとスイッチ機構の状態を示す回路図
【図８】この考案に係る防犯面格子の第２の実施の形態を示す縦棧タイプの枠形面格子の正面図
【図９】防犯面格子の横棧タイプの枠形面格子を示す正面図
【図１０】防犯面格子の傾斜棧タイプの枠形面格子を示す正面図
【図１１】防犯面格子の縦棧と横棧が交差するタイプの枠形面格子を示す正面図
【符号の説明】
【００３９】
１        防犯面格子
２        横棧
３        縦棧
４        締結部材
５        キャップ
６        ピンジャック
７        発音装置
８        可撓条
９        スイッチ機構
１０      ホルダー
１１      電源
１２      発音器
１３      励振回路
１４      コンデンサ
１５      基板
１６      孔
１７      挿通部材
１８      蓋部材
１９      ブラケット
２０      窓用サッシ
２１      突条
３１      上枠材
３２      下枠材
３３      側枠材
３４      枠部材
３５      縦棧
３６      横棧
３７      傾斜棧
【図１】
0003123765.tif 000003
【図２】
0003123765.tif 000004
【図３】
0003123765.tif 000005
【図４】
0003123765.tif 000006
【図５】
0003123765.tif 000007
【図６】
0003123765.tif 000008
【図７】
0003123765.tif 000009
【図８】
0003123765.tif 000010
【図９】
0003123765.tif 000011
【図１０】
0003123765.tif 000012
【図１１】
0003123765.tif 000013